(57)【要約】      （修正有）【課題】棚板の左右側縁にスライドレールを連結して支持したショーケースのスライド式商品陳列棚を対象に、そのスライドレールの構造を改良して棚板の引き出し位置での係止保持，および収納位置への押し込み操作がスムーズに行えるようにする。【解決手段】棚板を引き出し位置に係止保持する戻り止め手段として、棚板の側縁に固定した外レール５のメンバー後端部位にそのボールガイド面からボールベアリング列に向けて突き出したストッパ９を形成するものとし、かつ該ストッパ９をレールメンバーのチャンネル上端および下端の両端面に位置を合わせて対称位置に形成し、棚板１の左側に連結したスライドレール３Ｌと右側に連結したスライドレール３Ｒとで、ストッパ９とボールベアリング７との掛かり具合が同じ条件になるようにしてボールロックの解除力を左右でバランさせる。【選択図】        図１
2006158409.tif 000002
【特許請求の範囲】
【請求項１】
ショーケースの庫内に配備して前方へ引き出し可能に支持した商品陳列棚であり、棚板の左右側縁とその背後に配して庫内背面の支柱に支持したブラケットとの間をチャンネル状の内レール,外レールおよび中レールの相互間にボールベアリングを組み合わせた３メンバーのスライドレールを介して連結したものにおいて、
棚板を引き出し位置に係止保持する戻り止め手段として、棚板の側縁に固定したレールメンバーの後端部位にそのボールガイド面からボールベアリング列に向けて突き出したストッパを形成するものとし、かつ該ストッパをレールメンバーのチャンネル上部および下部の両端面に位置を合わせて上下対称に形成したことを特徴とするショーケースの商品陳列棚。
【請求項２】
請求項１記載の商品陳列棚において、ストッパがチャンネル状のレールメンバーの上下端面に型打加工を施して形成した断面Ｖ形のダム状突起であることを特徴とするショーケースの商品陳列棚。
【発明の詳細な説明】
【技術分野】
【０００１】
本発明は、ショーケースに装備したスライド式商品陳列棚に関する。
【背景技術】
【０００２】
ショーケースの庫内に装備した商品陳列棚には、固定式棚のほかに商品補充の利便性を考慮したスライド棚が知られている（例えば、特許文献１，特許文献２参照）。
このスライド式商品陳列棚は、棚板の左右側縁とショーケースの庫内背後に配した支柱に支持したブラケットとの間に伸縮式のスライドレールを介して連結し、常時は棚板を庫内に押し込んだ収納位置に保持し、商品補充の際には棚板を前方に引き出して補充作業を行うようにしている。
次に、このスライド式商品陳列棚の構成を図２（ａ）〜（ｃ）に示す。図において、１は商品陳列棚の棚板、２はブラケット、３は棚板１の左右側縁とブラケット２との間を連結したスライドレールで、３Ｌは左側，３Ｒは右側のスライドレールである。なお、スライドレール３Ｌと３Ｒは共用部品で、その向きを左右で反転して使用する。また、図中のＬは棚板の奥行き長さ、Ｔはトラベル距離（棚板の移動ストローク）であり、図２（ａ）は棚板１を引き出した状態を表している。なお、３ａはスライドレール３のレールメンバーをブラケット２に固定する締結ねじ，３ｂはレールメンバーを棚板１に固定する締結ねじである。
【０００３】
ここで、商品陳列棚は棚板１に載置する商品の総重量が比較的重く（数十Ｋｇ）、かつ棚板１の引き出し位置ではオーバートラベルとなることから、前記のスライドレール３には、内レール，外レールおよび中レールの３メンバー（レール部材）にボールベアリングを組み合わせた組立構造になるボールベアリング方式のスライドレール（ダブルスライド式）が採用されており、その構成（市販品）を図３に示す。
図３（ａ），（ｂ）において、４はブラケット２に固定する外レール（断面Ｃ形のチャンネル状メンバー）、５は棚板１の側縁に固定する内レール（外レール４のメンバーと同形な断面Ｃ形のチャンネルメンバー）、６は中レール（二枚の断面略コ字形を背中合わせに重ねて溶接接合したチャンネルメンバー）、７はボールベアリング、８はボールリテーナであり、ボールベアリング７は一列に並べてボールリテーナ８に保持した上で、外レール４および内レール５の上下端に形成した円弧状のボールガイド面４ａ，４ｂ，５ａ，５ｂと中レール６の上下端に形成したボールガイド面６ａおよび６ｂとの間に介装されている。なお、図示してないがスライドレールには、引き出し可能なストロークを規制してストロークエンドでレールメンバーの結合が外れるのを防ぐように抜け止め用ストッパを備えている。
【０００４】
また、ショーケースに装備したスライド式商品陳列棚についても、棚板を収納位置に鎖錠するロック機構（例えば、特許文献１，特許文献２参照）を備えて棚板が不測に前方移動するのを防ぐようにしており、さらにこのロック機構が外れていても棚板が勝手に収納位置から前方に移動しないようにするために、スライドレールに僅かな前上がりの取り付け角度を付けて棚板が戻り勝手となるようにしている。
一方、前記のようにスライドレールに前上がりの角度をつけて戻り勝手にした商品陳列棚では、当然のことながら棚板を引き出し位置に保持する戻り止め手段が必要となる。さもないと、商品補充の際に前方に引き出した棚板から手を離すと、棚板が自重で収納位置に戻ってしまう。この戻り止め手段には種々なロック機構の採用が考えられるが、簡単な構造で格別なロック解除操作も要さずに棚板を押し込むだけで簡単にロックが外れて棚板を収納位置に戻すこしとができる係止保持手段として、次記のボールロック式ストッパが一部のスライドレールに採用されている。
【０００５】
次にその構造を図４で説明する。すなわち、図４（ａ）〜（ｄ）に示すスライドレール３について、棚板に固定する内レール５の後端部位，およびブラケットに固定する外レール４の前端部位（外レール４と内レール５は共用部品であり、その前後の向きを反転してスライドレールを組み立てる）には、そのＣ形チャンネルの上端面もしくは下端面のいずれか一方に型打加工（スタンピング）を施して円弧状のボールガイド面からボールベアリング７の列を横切るように内方に突き出す断面Ｖ形の突起状ストッパ９を形成しておき、図示の棚板引き出し位置（オーバートラベル）では、内レール５の後端部位に形成したストッパ９がボールベアリング７の最後列に並ぶボールと次のボールとの間に突き出し、また外レール４の前端部位に形成したストッパ９が最前列に並ぶボールと次のボールとの間に突き出すように設定しておく。
【０００６】
これにより、棚板が引き出し位置から自重で収納位置に戻ろうとすると、前記ストッパ９がボール列の終端に並ぶボールベアリング７の球面に当たって棚板をこの位置に係止保持する。また、この係止保持状態で棚板に力を加えて押し込むと、ストッパ９が終端に並ぶボールベアリング７を乗り越え（スライドレール３を構成する各メンバーの相互間にはボールベアリング７が転動するように多少のガタがあり、かつチャンネル状のメンバー自身にも多少の撓み性がある）、その後はストッパ９の拘束を受けることなく棚板を収納位置まで移動できる。
【特許文献１】特開２０００−１５７３７８号公報
【特許文献２】特開平２０００−３００４０１号公報
【発明の開示】
【発明が解決しようとする課題】
【０００７】
ところで、前記した従来構造のストッパ付きスライドレールを採用して構成したショーケースのスライド式商品陳列棚では、操作面で次記のような不具合がある。
すなわち、図４で述べたＣチャンネル状の外レール４，内レール５に対して、その上下端面の片側にストッパ９を形成した組立構造になるスライドレール３を共用部品として、図２（ｂ）で表すように棚板１に固定するレールメンバーが内側に、ブラケット２に固定するレールメンバー４が外側に向くようにレールの向きを左右に反転してスライドレール３を棚板１の左右側縁に組み付けると、図４（ｃ），（ｄ）で示すように左側のスライドレール３Ｌと右側のスライドレール３Ｒとではストッパ９の位置が上下に反対することになる。
一方、図２（ａ）に示した棚板１の引き出し位置では、棚板１に載せた商品の重量も加わってと、スライドレール３に大きなモーメント荷重が下向きに作用するようになる。このモーメント荷重が加わった状態で棚板１に結合した内レール５のストッパ９とボールベアリング７の間の掛かり具合（棚板の押し戻し操作に対する抵抗力）について見ると、レールメンバー５の上端側にストッパ９が位置しているスライドレール３Ｌ（図４（ｃ）参照）に比べて、レールメンバー５の下端側にストッパ９が位置するスライドレール３Ｒ（図４（ｄ）参照）の方が強くなる。
【０００８】
このために、ショーケースの庫内から前方に引き出した棚板１を収納位置に押し込む場合に、棚板１の左側に連結したスライドレール３Ｌと右側に連結したスライドレール３Ｒとではストッパ９の解除力（ストッパがボールベアリングを乗り越えるのに要する力）が異なって棚板１の押し込み動作がスムーズに行えなくなるといった操作面の不具合が生じる。また、棚板１を前方に引き出す際の終端位置でストッパ９がボールベアリング７を乗り越える際にも同様な不具合が発生する。
本発明は上記の点に鑑みなされたものであり、その目的は前記課題を解決し、棚板の左右側縁にスライドレールを連結して支持したショーケースのスライド式商品陳列棚を対象に、そのスライドレールの構造を改良して棚板の引き出し位置での係止保持，および収納位置への押し込み操作がスムーズに行えるようにしたショーケースの商品陳列棚を提供することにある。
【課題を解決するための手段】
【０００９】
上記目的を達成するために、本発明によれば、ショーケースの庫内に配備して前方へ引き出し可能に支持した商品陳列棚であり、棚板の左右側縁とその背後に配して庫内背面に固定したブラケットとの間をチャンネル状の内レール,外レールおよび中レールの相互間にボールベアリングを組み合わせた３メンバーのスライドレールを介して連結したものにおいて、
棚板を引き出し位置に係止保持する戻り止め手段として、棚板の側縁に固定した内レールメンバーの後端部位にそのボールガイド面からボールベアリング列に向けて突き出したストッパを形成するものとし、このストッパをレールメンバーのチャンネル上部および下部の両端面に位置を合わせて上下対称に形成する（請求項１）。
また、前記構成において、棚板を引き出し位置に係止保持する戻り止め用ストッパは、断面Ｖ形のダム状突起としてスライドレールのメンバーの上下端面に型打加工を施して形成するものとする（請求項２）。
【発明の効果】
【００１０】
上記のように戻り止め用ストッパをレールメンバーの上下の両端面に形成した構成によれば、３メンバーからなるボールベアリング方式のスライドレールを共用部品として、その向きを内外反転して商品陳列棚の左右側縁に組み付けた状態でも、戻り止め用のストッパの位置が左右に配したスライドレールに対して対称となる。これにより、棚板の引き出し位置でスライドレールにモーメント荷重が加わった状態では、棚板の左右に配したスライドレールに対してストッパの掛かり具合が同じ条件となるので、棚板の押し込み，引き出し操作をスムーズに行うことができる。
【発明を実施するための最良の形態】
【００１１】
以下、本発明の実施の形態を図１（ａ）〜（ｄ）に示す実施例に基づいて説明する。なお、図示実施例で図４に対応する部材には同じ符号を付してその詳細な説明は省略する。
すなわち、商品陳列棚の構成は図２と同一であり、またその棚板１の左右側縁に連結したスライドレール３については図４と基本的に同じであるが、棚板の戻り止め用ストッパとして、スライドレール３の組立部品である外レール４，内レール５の端部からボールベアリング７の列に向けて突き出すようにに形成した断面Ｖ形の突起状ストッパ９が、前記の各メンバー（Ｃ形チャンネル）の上部側および下部側の双方のボールガイド面から突き出すよう上下対称位置に形成されている。なお、このストッパ９はスライドレール３のチャンネル形メンバーに対し、その上下端面に型打加工を施してスタンピング形成するものとする。
【００１２】
これにより、前記のスライドレール３を共用部品として、そのメンバーの向きを内外に反転して棚板１の左右側縁に連結すると、図１（ｃ），（ｄ）で示すように左側のスライドレール３Ｌと右側のスライドレール３Ｒとでストッパ９が対称に位置するようになる。したがって、棚板１の引き出し位置（図２（ａ）参照）でスライドレール３に下向きのモーメント荷重が作用した状態でも、このストッパ９とボールベアリング７との掛かり具合が左右のスライドレール３Ｌと３Ｒで同じになって、ボールロックの解除力も左右でバランスする。これにより、図４で述べたような操作性の不具合なしに棚板を引き出し位置から収納位置へスムーズに押し込み操作することができる。
【図面の簡単な説明】
【００１３】
【図１】本発明の商品陳列棚に採用するスライドレールの構成図で、（ａ）はオーバートラベルの引き出し状態を表したスライドレールの部分側面図、（ｂ）は（ａ）の要部拡大図、（ｃ），（ｄ）はそれぞれ棚板の左側縁，右側縁に連結したスライドレールに対応する（ｂ）の矢視Ｘ−Ｘの拡大断面図
【図２】スライド式商品陳列棚の基本構成図で、（ａ）は棚板の引き出し位置に対応する側面図、（ｂ）は正面図、（ｃ）は棚板の左側に配したスライドレール連結部の拡大図
【図３】図２の商品陳列棚に採用した３メンバーからなるボールベアリング方式スライドレールの構成図で、（ａ）はスライドレール全体の外形斜視図、（ｂ）はその詳細構造図
【図４】図３に示したスライドレールに戻り止め用ストッパを形成したストッパ付きスライドレールの従来構造図で、（ａ）はオーバートラベルの引き出し状態を表したスライドレールの部分側面図、（ｂ）は（ａ）の要部拡大図、（ｃ），（ｄ）はそれぞれ棚板の左側縁，右側縁に連結したスライドレールに対応する（ｂ）の矢視Ｘ−Ｘの拡大断面図
【符号の説明】
【００１４】
１    商品陳列棚の棚板
２    ブラケット
３    スライドレール
３Ｌ  左側のスライドレール
３Ｒ  右側のスライドレール
４    外レール
５    内レール
６    中レール
７    ボールベアリング
９    ストッパ
【図１】
2006158409.tif 000003
【図２】
2006158409.tif 000004
【図３】
2006158409.tif 000005
【図４】
2006158409.tif 000006